(57)【要約】 【課題】  音の漏れを防止して静かな環境を実現出来るパーテーションを提供する。【解決手段】  空間を間仕切りするパーテーションが、一方の端面が開口された管状の吸音管１１ａ〜１１ｇが複数本壁状に並べられて連結されることにより構成される。【選択図】    図１
2005320703.tif 000002
【特許請求の範囲】
【請求項１】
空間を間仕切りするパーテーションが、少なくとも一方の端面が開口された管状の吸音部材が複数本壁状に並べられて連結されることにより構成されていることを特徴とするパーテーション。
【請求項２】
前記パーテーションを構成する複数の吸音部材に、上端面が開口されているとともに長さが異なる吸音部材が含まれ、この長さが異なる吸音部材が任意に組み合わされて連結されている請求項１に記載のパーテーション。
【請求項３】
前記吸音部材が、それぞれの上端の開口面の高さが同じ高さになるように上向きに並べられて連結されている請求項２に記載のパーテーション。
【請求項４】
前記パーテーションを構成する複数の吸音部材に、両端面が開口されているとともに内部空間が仕切り部材によってそれぞれ仕切られている吸音部材が含まれている請求項１に記載のパーテーション。
【請求項５】
前記仕切り部材が、複数の吸音部材の内部を互いに異なる位置において仕切っている請求項４に記載のパーテーション。
【請求項６】
前記複数の吸音部材が互いに同じ長さの直線形状を有し、それぞれの内部の仕切り部材の両側に異なる長さの吸音部が形成されている請求項４に記載のパーテーション。
【請求項７】
前記複数の吸音部材が略Ｕ字形に湾曲された形状を有し、それぞれの内部の仕切り部材の両側に異なる長さの吸音部が形成されている請求項４に記載のパーテーション。
【請求項８】
前記複数の略Ｕ字形の吸音部材が、その両端の開口部を上方に向けた状態で並設されている請求項７に記載のパーテーション。
【請求項９】
前記複数の略Ｕ字形の吸音部材が、その両端の開口部を下方に向けた状態で並設されている請求項７に記載のパーテーション。
【請求項１０】
前記両端の開口部を上方に向けた略Ｕ字形の吸音部材と、両端の開口部を下方に向けた略Ｕ字形の吸音部材とが、任意に組み合わされて並設されている請求項７に記載のパーテーション。
【請求項１１】
前記複数の吸音部材が略Ｌ字形に湾曲された形状を有し、それぞれの内部の仕切り部材の両側に異なる長さの吸音部が形成されている請求項４に記載のパーテーション。
【請求項１２】
前記略Ｌ字形の複数の吸音部材が、互いに異なる長さを有し、長さの長い吸音部材の内側に長さの短い吸音部材が嵌り合うことによって壁状に連結されている請求項１１に記載のパーテーション。
【請求項１３】
前記壁状に連結された略Ｌ字形の各吸音部材の一方の端部の開口部が高さを揃えられた状態で上向きに配列され、他方の端面の開口部が上下向きに直線状に並んだ状態で側方向きに配列されている請求項１２に記載のパーテーション。
【請求項１４】
前記複数の吸音部材が略コ字形に湾曲された形状を有し、それぞれの内部の仕切り部材の両側に異なる長さの吸音部が形成されている請求項４に記載のパーテーション。
【請求項１５】
前記略Ｌ字形の複数の吸音部材が、互いに異なる長さを有し、長さの長い吸音部材の内側に長さの短い吸音部材が嵌り合うことによって壁状に連結されている請求項１４に記載のパーテーション。
【請求項１６】
前記壁状に連結された略コ字形の各吸音部材の両端部の開口部が、互いに高さを揃えられた状態で上向きに配列されている請求項１５に記載のパーテーション。
【請求項１７】
前記吸音部材の断面が円形または楕円形，長円形，四角形の何れかの形状を有している請求項１に記載のパーテーション。
【請求項１８】
前記吸音部材が、１５０〜４８００Ｈｚの間の３分の１オクターブ毎の周波数の音を吸音する長さを有している請求項１に記載のパーテーション。
【請求項１９】
前記吸音部材が、段ボール材によって形成されている請求項１に記載のパーテーション。
【請求項２０】
前記吸音部材が、一列または２列以上に配列されている請求項１に記載のパーテーション。
【請求項２１】
前記吸音部材が交換可能である請求項１に記載のパーテーション。
【請求項２２】
前記仕切り部材の吸音部材内における仕切り位置が変更可能である請求項１に記載のパーテーション。
【発明の詳細な説明】
【技術分野】
【０００１】
この発明は、室内の空間を間仕切りするパーテーションの構造に関する。
【背景技術】
【０００２】
一般に、室内のオープンスペースを小スペースに間仕切ってそれぞれ個別の作業スペースや応接スペース等として使用するために、パーテーションと呼ばれる仕切壁が用いられている。
【０００３】
このパーテーションは、取り外し可能で、室内のオープンスペースを用途に応じて自由に間仕切ることが出来、多くの企業等で使用されているが、ビルなどの固定壁と異なり、パーテーションによって間仕切られた小スペースの間が完全に遮蔽される訳ではないので、パーテーションを挟んで隣のスペースで話す人声や作業の音などが、パーテーションの上端と部屋の天井との間に開いた空間やパーテーションの側方を回り込んでしまうため、防音性に乏しいという問題点を有している。
【０００４】
従来、このようなパーテーションの防音性に関する問題点を解決するために、スピーカを内蔵していわゆるサウンドマスキングを行うことが出来るようにしたパーテーションが開発されている（例えば、特許文献１参照）。
【０００５】
しかしながら、このようなスピーカを内蔵してサウンドマスキングを行うことが出来るようにしたパーテーションは、製品コストが高くなるとともに、音響設備も必要になるという新たな問題点が発生する。
【０００６】
【特許文献１】実開平６−１６５３１号公報
【発明の開示】
【発明が解決しようとする課題】
【０００７】
この発明は、上記のような従来のパーテーションが有している問題点を解決することをその解決課題の一つとしている。
【課題を解決するための手段】
【０００８】
この発明（請求項１に記載の発明）によるパーテーションは、上記目的を達成するために、空間を間仕切りするパーテーションが、少なくとも一方の端面が開口された管状の吸音部材が複数本壁状に並べられて連結されることにより構成されていることを特徴としている。
【発明を実施するための最良の形態】
【０００９】
この発明は、室内のオープンスペース等をそれぞれ個別の作業スペースや応接スペース等の小スペースに間仕切って使用するためのパーテーションが、異なる周波数の人の話声などの音を吸音するように内部に様々な長さの吸音部が形成された管状の吸音管を壁状に並べて連結することによって構成されている実施形態のパーテーションをその最良の実施形態としている。
【００１０】
この実施形態におけるパーテーションは、例えばデスクを囲むように配置してスペースの間仕切りを行った場合に、パーテーションの上方や下方，側方などのパーテーションを構成する吸音部材の端部の開口部が向けられている側を通ってスペース内から外側に出て行こうとする人の話し声等や、反対に、スペースの外側からスペース内に入ろうとする話し声等が、それぞれの開口部から吸音部材内に吸音されて、スペースの外側に漏れ出たり、スペース内に入ろうとするのを防止することが出来、間仕切りされたスペースの静かな環境を確保することが出来る。
【実施例】
【００１１】
図１および２は、この発明によるパーテーションの実施例の第１例を示している。
【００１２】
この図１および２において、パーテーション１０は、長さの異なる数種類（図示の例では７種類）の吸音管１１ａ〜１１ｇによって構成されている。
【００１３】
この各吸音管１１ａ〜１１ｇは、図２に示されるように断面が円形の管材であり、上端面が開口され、下端面は閉じられている。
【００１４】
そして、それぞれ複数本ずつの吸音管１１ａ〜１１ｇがランダムに組み合わされて、上端面の高さが揃えられ、垂直向きに並べられて側部が互いに強固に連結されることにより、一枚の壁状のパーテーション１０が形成されている。
【００１５】
パーテーション１０を構成する各吸音管１１ａ〜１１ｇは、１５０Ｈｚから４８００Ｈｚの間の３分の１オクターブ毎の周波数の音を吸音するように、それぞれの長さが設定されており、少なくとも１０本以上の吸音管１１ａ〜１１ｇによって一枚のパーテーション１０が形成されている。
【００１６】
このパーテーション１０は、例えば図３に示されるのようにして使用される。
【００１７】
すなわち、図３の例においては、幅が異なる５枚のパーテーション１０Ａ〜１０Ｅが組み合わされてデスクＤを囲むように四方に配置され、互いに連結されることによって、デスクＤを収容するスペースＳの間仕切りと、このスペースＳへの出入り口Ｅが形成される。
【００１８】
この図３の例において、例えばスペースＳ内からパーテーション１０Ａ〜１０Ｅの上方を通って外側に出て行こうとする人の話し声等や、反対に、スペースＳの外側からスペースＳ内に入ろうとする話し声等が、各パーテーション１０Ａ〜１０Ｅを構成する様々な長さの吸音管１１ａ〜１１ｇの何れかにその上端開口部から吸音されて、スペースＳの外側に漏れ出たり、スペースＳ内に入ろうとするのが防止される。
【００１９】
図４は、この発明によるパーテーションの実施例の第２例を示している。
【００２０】
この図４において、パーテーション２０は、両端が開口されて長さが同じ吸音管２１ａ〜２１ｇによって構成されている。
【００２１】
そして、この吸音管２１ａ〜２１ｆは、その内部が、それぞれ仕切板２２ａ〜２２ｆによって互いに異なる位置において上下に仕切られることにより、それぞれの上部分と下部分にそれぞれ長さが異なる吸音部（２１ｂ１，２１ｂ２），（２１ｃ１，２１ｃ２），（２１ｄ１，２１ｄ２），（２１ｅ１，２１ｅ２），（２１ｆ１，２１ｆ２）が形成されている。
【００２２】
この各吸音管２１ａ〜２１ｆが、前述した第１例のパーテーションと同様に、それぞれ複数本ずつランダムに組み合わされて、上端面と下端面の高さが揃えられ、垂直向きに並べられて連結されることにより、一枚の壁状のパーテーション２０が形成されている。
【００２３】
このパーテーション２０は、例えば図３のようにスペースの間仕切りを行った場合に、パーテーション２０の上方および下方を通ってスペース内から外側に出て行こうとする人の話し声等や、反対に、スペースの外側からスペース内に入ろうとする話し声等が、上下の端面が開口された吸音管２１ａ〜２１ｇの上端面が開口された吸音部２１ａ１，２１ｂ１，２１ｃ１，２１ｄ１，２１ｅ１，２１ｆ１および、下端面が開口された吸音部２１ａ２，２１ｂ２，２１ｃ２，２１ｄ２，２１ｅ２，２１ｆ２によって吸音されて、スペースの外側に漏れ出たり、スペース内に入ろうとするのが防止される。
【００２４】
図５および６は、この発明によるパーテーションの実施例の第３例を示している。
【００２５】
この図５および６において、パーテーション３０は、長さが等しく両端面が開口されているとともにこの両端面が上方向きに同じ高さで揃うように略Ｕ字形に湾曲された吸音管３１ａ〜３１ｋによって構成されている。
【００２６】
そして、この吸音管３１ａ〜３１ｋの内部が、それぞれ仕切板３２ａ〜３２ｋによって互いに異なる位置において仕切られることにより、それぞれの両端部分に長さが異なる吸音部（３１ａ１，３１ａ２），（３１ｂ１，３１ｂ２），（３１ｃ１，３１ｃ２），（３１ｄ１，３１ｄ２），（３１ｅ１，３１ｅ２），（３１ｆ１，３１ｆ２），（３１ｇ１，３１ｇ２），（３１ｈ１，３１ｈ２），（３１ｉ１，３１ｉ２），（３１ｊ１，３１ｊ２），（３１ｋ１，３１ｋ２）が形成されている。
【００２７】
この各吸音管３１ａ〜３１ｋが、前述した第１例のパーテーションと同様に、それぞれ複数本ずつランダムに組み合わされて、上端面の高さが揃えられ、垂直向きに並べられて連結されることにより、一枚の壁状のパーテーション３０が形成されている。
【００２８】
そして、この例におけるパーテーション３０は、各吸音管３１ａ〜３１ｋが、パーテーション３０の表側および裏側に配置される壁板３３Ａと３３Ｂによって、互いに連結されている。
【００２９】
このパーテーション３０は、例えば図３のようにスペースの間仕切りを行った場合に、パーテーション３０の上方を通ってスペース内から外側に出て行こうとする人の話し声，作業音等や、反対に、スペースの外側からスペース内に入ろうとする話し声等が、各吸音管吸音管３１ａ〜３１ｋのそれぞれ長さが異なるとともに上方向きに開口された吸音部（３１ａ１，３１ａ２），（３１ｂ１，３１ｂ２），（３１ｃ１，３１ｃ２），（３１ｄ１，３１ｄ２），（３１ｅ１，３１ｅ２），（３１ｆ１，３１ｆ２），（３１ｇ１，３１ｇ２），（３１ｈ１，３１ｈ２），（３１ｉ１，３１ｉ２），（３１ｊ１，３１ｊ２），（３１ｋ１，３１ｋ２）によって吸音されて、スペースの外側に漏れ出たり、スペース内に入ろうとするのが防止される。
【００３０】
図７は、この発明によるパーテーションの実施例の第４例を示している。
【００３１】
この図７において、パーテーション４０は、長さが等しく両端面が開口されているとともにこの両端面が下方向きに同じ高さで揃うように略Ｕ字形に湾曲された吸音管４１ａ〜４１ｋによって構成されている。
【００３２】
そして、この吸音管４１ａ〜４１ｋの内部が、それぞれ仕切板４２ａ〜４２ｋによって互いに異なる位置において仕切られることにより、それぞれの両端部分に長さが異なる吸音部（４１ａ１，４１ａ２），（４１ｂ１，４１ｂ２），（４１ｃ１，４１ｃ２），（４１ｄ１，４１ｄ２），（４１ｅ１，４１ｅ２），（４１ｆ１，４１ｆ２），（４１ｇ１，４１ｇ２），（４１ｈ１，４１ｈ２），（４１ｉ１，４１ｉ２），（４１ｊ１，４１ｊ２），（４１ｋ１，４１ｋ２）が形成されている。
【００３３】
この各吸音管４１ａ〜４１ｋが、それぞれ複数本ずつランダムに組み合わされて、下端面の高さが揃えられ、垂直向きに並べられて連結されることにより、一枚の壁状のパーテーション４０が形成されている。
【００３４】
このパーテーション４０は、例えば図３のようにスペースの間仕切りを行った場合に、パーテーション４０の下方を通ってスペース内から外側に出て行こうとする人の話し声等や、反対に、スペースの外側からスペース内に入ろうとする話し声等が、各吸音管吸音管４１ａ〜４１ｋのそれぞれ長さが異なるとともに上方向きに開口された吸音部（４１ａ１，４１ａ２），（４１ｂ１，４１ｂ２），（４１ｃ１，４１ｃ２），（４１ｄ１，４１ｄ２），（４１ｅ１，４１ｅ２），（４１ｆ１，４１ｆ２），（４１ｇ１，４１ｇ２），（４１ｈ１，４１ｈ２），（４１ｉ１，４１ｉ２），（４１ｊ１，４１ｊ２），（４１ｋ１，４１ｋ２）によって吸音されて、スペースの外側に漏れ出たり、スペース内に入ろうとするのが防止される。
【００３５】
図８は、この発明によるパーテーションの実施例の第４例を示している。
【００３６】
この図８において、パーテーション５０は、長さが等しく両端面が開口されているとともにこの両端面が上方向きに同じ高さで揃うように略Ｕ字形に湾曲された吸音管５１ａ〜５１ｌによって構成されている。
【００３７】
そして、この吸音管５１ａ〜５１ｌの内部が、それぞれ仕切板５２ａ〜５２ｌによって互いに異なる位置において仕切られることにより、それぞれの両端部分に長さが異なる吸音部（５１ａ１，５１ａ２），（５１ｂ１，５１ｂ２），（５１ｃ１，５１ｃ２），（５１ｄ１，５１ｄ２），（５１ｅ１，５１ｅ２），（５１ｆ１，５１ｆ２），（５１ｇ１，５１ｇ２），（５１ｈ１，５１ｈ２），（５１ｉ１，５１ｉ２），（５１ｊ１，５１ｊ２），（５１ｋ１，５１ｋ２），（５１ｌ１，５１ｌ２）が形成されている。
【００３８】
この各吸音管５１ａ〜５１ｌが、それぞれ複数本ずつランダムに組み合わされ、さらに、開口面が上向きに向けられた吸音管と下向きに向けられた吸音管が任意の順で、その高さを揃えられた状態で、垂直向きに並べられて連結されることにより、一枚の壁状のパーテーション５０が形成されている。
【００３９】
なお、図示の例では、各吸音管５１ａ〜５１ｌが、その向きが、左から順に、上，下，上，上，下，上，上，上，下，下，上，上，下の向きになるように並べられている。
【００４０】
このパーテーション５０は、例えば図３のようにスペースの間仕切りを行った場合に、パーテーション５０の上方および下方を通ってスペース内から外側に出て行こうとする人の話し声等や、反対に、スペースの外側からスペース内に入ろうとする話し声等が、各吸音管吸音管５１ａ〜５１ｌのそれぞれ長さが異なるとともに上方向きおよび下向きに開口された吸音部（５１ａ１，５１ａ２），（５１ｂ１，５１ｂ２），（５１ｃ１，５１ｃ２），（５１ｄ１，５１ｄ２），（５１ｅ１，５１ｅ２），（５１ｆ１，５１ｆ２），（５１ｇ１，５１ｇ２），（５１ｈ１，５１ｈ２），（５１ｉ１，５１ｉ２），（５１ｊ１，５１ｊ２），（５１ｋ１，５１ｋ２），（５１ｌ１，５１ｌ２）によって吸音されて、スペースの外側に漏れ出たり、スペース内に入ろうとするのが防止される。
【００４１】
図９および１０は、この発明によるパーテーションの実施例の第６例を示している。
【００４２】
この図９および１０において、パーテーション６０は、両端面が開口されているとともに互いに異なる長さを有するＬ字形の吸音管６１ａ〜６１ｏによって構成されている。
【００４３】
この吸音管６１ａ〜６１ｏの内部には、それぞれ仕切板６２ａ〜６２ｏによって互いに異なる位置において仕切られることにより、それぞれの両端部分に長さが異なる吸音部（６１ａ１，６１ａ２），（６１ｂ１，６１ｂ２），（６１ｃ１，６１ｃ２），（６１ｄ１，６１ｄ２），（６１ｅ１，６１ｅ２），（６１ｆ１，６１ｆ２），（６１ｇ１，６１ｇ２），（６１ｈ１，６１ｈ２），（６１ｉ１，６１ｉ２），（６１ｊ１，６１ｊ２），（６１ｋ１，６１ｋ２），（６１ｌ１，６１ｌ２），（６１ｍ１，６１ｍ２），（６１ｎ１，６１ｎ２），（６１ｏ１，６１ｏ２）が形成されている。
【００４４】
この各吸音管６１ａ〜６１ｏが、長さが最も長い６１ａから長さが最も短い６１ｏまで、長さが短くなる順に、上方から内側に嵌め込まれた状態で一枚の壁状に並べられて連結されることにより、パーテーション６０が形成されている。
【００４５】
このとき、各吸音管６１ａ〜６１ｏは、それぞれの上向きの開口部の高さが揃い、側方向き（図示の例では右側向き）の開口部の位置が直線状に揃うように、各長さが設定されている。
【００４６】
このパーテーション６０は、例えば図３のようにスペースの間仕切りを行った場合に、パーテーション６０の上方および側方を通ってスペース内から外側に出て行こうとする人の話し声等や、反対に、スペースの外側からスペース内に入ろうとする話し声等が、各吸音管６１ａ〜６１ｏのそれぞれ長さが異なるとともに上方向きまたは側方向きに開口された吸音部（６１ａ１，６１ａ２），（６１ｂ１，６１ｂ２），（６１ｃ１，６１ｃ２），（６１ｄ１，６１ｄ２），（６１ｅ１，６１ｅ２），（６１ｆ１，６１ｆ２），（６１ｇ１，６１ｇ２），（６１ｈ１，６１ｈ２），（６１ｉ１，６１ｉ２），（６１ｊ１，６１ｊ２），（６１ｋ１，６１ｋ２），（６１ｌ１，６１ｌ２），（６１ｍ１，６１ｍ２），（６１ｎ１，６１ｎ２），（６１ｏ１，６１ｏ２）によって吸音されて、スペースの外側に漏れ出たり、スペース内に入ろうとするのが防止される。
【００４７】
なお、図１０中、６３は、吸音管６１ｏの内側に嵌め込まれたスペース板である。
【００４８】
図１１および１２は、この発明によるパーテーションの実施例の第７例を示している。
【００４９】
この図１１および１２において、パーテーション７０は、両端面が開口されているとともに互いに異なる長さを有する略コ字形の吸音管７１ａ〜７１ｎによって構成されている。
【００５０】
この吸音管７１ａ〜７１ｎの内部には、それぞれ仕切板７２ａ〜７２ｎによって互いに異なる位置において仕切られることにより、それぞれの両端部分に長さが異なる吸音部（７１ａ１，７１ａ２），（７１ｂ１，７１ｂ２），（７１ｃ１，７１ｃ２），（７１ｄ１，７１ｄ２），（７１ｅ１，７１ｅ２），（７１ｆ１，７１ｆ２），（７１ｇ１，７１ｇ２），（７１ｈ１，７１ｈ２），（７１ｉ１，７１ｉ２），（７１ｊ１，７１ｊ２），（７１ｋ１，７１ｋ２），（７１ｌ１，７１ｌ２），（７１ｍ１，７１ｍ２），（７１ｎ１，７１ｎ２）が形成されている。
【００５１】
この各吸音管７１ａ〜７１ｎが、それぞれ、開口されている端面を上方に向けた状態で、長さが最も長い７１ａから長さが最も短い７１ｎまで、長さが短くなる順に、上方から内側に嵌め込まれた状態で一枚の壁状に並べられて連結されることにより、パーテーション７０が形成されている。
【００５２】
このとき、各吸音管７１ａ〜７１ｎは、それぞれの上向きの開口部の高さが揃うように、各長さが設定されている。
【００５３】
このパーテーション７０は、例えば図３のようにスペースの間仕切りを行った場合に、パーテーション７０の上方を通ってスペース内から外側に出て行こうとする人の話し声等や、反対に、スペースの外側からスペース内に入ろうとする話し声等が、各吸音管７１ａ〜７１ｎのそれぞれ長さが異なるとともに上方向きまたは側方向きに開口された吸音部（７１ａ１，７１ａ２），（７１ｂ１，７１ｂ２），（７１ｃ１，７１ｃ２），（７１ｄ１，７１ｄ２），（７１ｅ１，７１ｅ２），（７１ｆ１，７１ｆ２），（７１ｇ１，７１ｇ２），（７１ｈ１，７１ｈ２），（７１ｉ１，７１ｉ２），（７１ｊ１，７１ｊ２），（７１ｋ１，７１ｋ２），（７１ｌ１，７１ｌ２），（７１ｍ１，７１ｍ２），（７１ｎ１，７１ｎ２）によって吸音されて、スペースの外側に漏れ出たり、スペース内に入ろうとするのが防止される。
【００５４】
なお、上記の各例においては、吸音管の断面が円形である場合の例が示されているが、これに限られず、図１３に示されるこの発明によるパーテーションの実施例の第８例のように、パーテーション８０を、断面が四角形の吸音管８１を用いて構成するようにしてもよく、また、断面が楕円形や長円形等の様々な形状の断面を有する吸音管を用いて構成するようにしても良い。
【００５５】
図１４は、断面が四角形の吸音管８１によって構成された第８例の様々な幅のパーテーション８０Ａ〜８０ＥによってデスクＤを囲むスペースＳを間仕切った使用例を示している。
【００５６】
上記の各例において、パーテーションを構成する各吸音管を、吸音性を有する例えばダンボール等の素材によって成形するようにすれば、さらにパーテーションの吸音率を高めることが出来る。
【００５７】
また、上記においては、吸音管を一列に並べてパーテーションを構成した例について説明を行ったが、パーテーションを二列以上に並べて構成するようにしても良い。
【００５８】
また、第２ないし７例の各パーテーションにおいて、吸音しようとする音声や雑音等の周波数にパーテーションの吸音周波数を合わせるために、各吸音管を交換可能にしたり、仕切板の位置を変更可能にしてもよく、さらに、吸音管内に所要の吸音材が詰められるようにしても良い。
【００５９】
以上のように、上記各例のパーテーションを使用してスペースの間仕切りを行うようにすれば、パーテーションの上下や側部を通ってこのパーテーションによって間仕切りされたスペース内から外に出ようとする人の話し声や作業音、または、外からスペース内に入ろうとする人の話し声や作業音等が、それぞれの周波数に一致する管共振周波数を有するパーテーションの吸音管内に吸音されて、スペース内からの漏れや外部からスペース内への進入が防止され、パーテーションによって間仕切りを行う場合でも、その間仕切りされたスペース内での静かな環境を低価格で実現することが出来るようになる。
【００６０】
特に、男性ボーカル帯域等の低い周波数の音の漏れを防止するのに効果を発揮することが出来る。
【図面の簡単な説明】
【００６１】
【図１】この発明の実施形態の第１例を示す正面図である。
【図２】同例の平面図である。
【図３】同例の使用例を示す平面図である。
【図４】この発明の実施形態の第２例を示す正面図である。
【図５】この発明の実施形態の第３例を示す正面図である。
【図６】同例の平面図である。
【図７】この発明の実施形態の第４例を示す正面図である。
【図８】この発明の実施形態の第５例を示す正面図である。
【図９】この発明の実施形態の第６例を示す正面図である。
【図１０】同例の平面図である。
【図１１】この発明の実施形態の第７例を示す正面図である。
【図１２】同例の平面図である。
【図１３】この発明の実施形態の第８例を示す平面図である。
【図１４】同例の使用例を示す平面図である。
【符号の説明】
【００６２】
１０，１０Ａ〜１０Ｅ，２０〜８０，８０Ａ〜８０Ｅ
…パーテーション
１１ａ〜１１ｇ                          …吸音管（吸音部材）
２１ａ〜２１ｆ                          …吸音管（吸音部材）
２１ａ１〜２１ｆ１，２１ａ２〜２１ｆ２  …吸音部
２２ａ〜２２ｆ                          …仕切板（仕切り部材）
３１ａ〜３１ｋ                          …吸音管（吸音部材）
３１ａ１〜３１ｋ１，３１ａ２〜３１ｋ２  …吸音部
３２ａ〜３２ｋ                          …仕切板（仕切り部材）
３３Ａ，３３Ｂ                        …壁板
４１ａ〜４１ｋ                          …吸音管（吸音部材）
４１ａ１〜４１ｋ１，４１ａ２〜４１ｋ２  …吸音部
４２ａ〜４２ｋ                          …仕切板（仕切り部材）
５１ａ〜５１ｌ                          …吸音管（吸音部材）
５１ａ１〜５１ｌ１，５１ａ２〜５１ｌ２  …吸音部
５２ａ〜５２ｌ                          …仕切板（仕切り部材）
６１ａ〜６１ｏ                          …吸音管（吸音部材）
６１ａ１〜６１ｏ１，６１ａ２〜６１ｏ２  …吸音部
６２ａ〜６２ｏ                          …仕切板（仕切り部材）
７１ａ〜７１ｎ                          …吸音管（吸音部材）
７１ａ１〜７１ｎ１，７１ａ２〜７１ｎ２  …吸音部
７２ａ〜７２ｎ                          …仕切板（仕切り部材）
８１                                  …吸音管（吸音部材）
Ｓ                                    …スペース
【図１】
2005320703.tif 000003
【図２】
2005320703.tif 000004
【図３】
2005320703.tif 000005
【図４】
2005320703.tif 000006
【図５】
2005320703.tif 000007
【図６】
2005320703.tif 000008
【図７】
2005320703.tif 000009
【図８】
2005320703.tif 000010
【図９】
2005320703.tif 000011
【図１０】
2005320703.tif 000012
【図１１】
2005320703.tif 000013
【図１２】
2005320703.tif 000014
【図１３】
2005320703.tif 000015
【図１４】
2005320703.tif 000016